(57)【要約】【課題】一対のコンタクトレンズが互いに連携して動作することが可能な一対のコンタクトレンズ、コンタクトレンズおよび記憶媒体を提供する。【解決手段】両目の各眼球に装着される一対のレンズ部と、前記一対のレンズ部のうち一方の前記レンズ部に設けられる第１の機能部と、他方の前記レンズ部に設けられる前記第１の機能部の機能と異なる機能を有する第２の機能部と、を備える、一対のコンタクトレンズ。【選択図】図１
2020173468.tif 000002
【特許請求の範囲】
【請求項１】
両目の各眼球に装着される一対のレンズ部と、
前記一対のレンズ部のうち一方の前記レンズ部に設けられる第１の機能部と、
他方の前記レンズ部に設けられる前記第１の機能部の機能と異なる機能を有する第２の機能部と、
を備える、一対のコンタクトレンズ。
【請求項２】
前記一対のコンタクトレンズは、前記一対のレンズ部を通信可能にする通信部をさらに備える、請求項１に記載の一対のコンタクトレンズ。
【請求項３】
前記通信部は、前記一対のレンズ部にそれぞれ設けられる、請求項２に記載の一対のコンタクトレンズ。
【請求項４】
前記第１、第２の機能部は、撮像部、照明部、表示部、記憶部、センサ、収音部、および電力供給部の少なくともいずれかである、請求項１〜３のいずれか１項に記載の一対のコンタクトレンズ。
【請求項５】
前記一対のコンタクトレンズは、前記第１、第２の機能部が連携して動作するよう制御する制御部をさらに備える、請求項１〜４のいずれか１項に記載の一対のコンタクトレンズ。
【請求項６】
前記制御部は、前記一対のレンズ部にそれぞれ設けられる、請求項５に記載の一対のコンタクトレンズ。
【請求項７】
眼球に装着されるレンズ部と、
前記レンズ部に設けられる機能部と、
前記レンズ部に設けられる、外部装置と通信可能な通信部と、
前記通信部により前記外部装置から受信した情報に応じて、前記機能部が前記外部装置と連携して動作するよう制御する制御部と、
を備える、コンタクトレンズ。
【請求項８】
前記制御部は、前記外部装置の機能を制御する制御信号を、前記通信部を介して前記外部装置に送信するように制御する、請求項７に記載のコンタクトレンズ。
【請求項９】
前記外部装置は、他方の眼球に装着されている他の前記コンタクトレンズである、請求項７または８に記載のコンタクトレンズ。
【請求項１０】
コンピュータに、
眼球に装着されるレンズ部に設けられる機能部と、
前記レンズ部に設けられる、外部装置と通信可能な通信部と、
前記通信部により前記外部装置から受信した情報に応じて、前記機能部が前記外部装置と連携して動作するよう制御する制御部と、
として機能させるためのプログラムが記憶された、記憶媒体。
【発明の詳細な説明】
【技術分野】
【０００１】
本開示は、一対のコンタクトレンズ、コンタクトレンズおよび記憶媒体に関する。
【背景技術】
【０００２】
近年、視覚補正装置として眼球に直接装着するコンタクトレンズが実用的に用いられている。また、コンタクトレンズは、視覚補正の他、眼の外観を変更するためにも使用され、この場合レンズには着色が施される。
【０００３】
色付きのコンタクトレンズ（カラーコンタクトレンズ）は近年多く使用され、通常、ユーザは、実際にカラーコンタクトレンズを試着した上で、眼の外観を確認し、どのレンズの色が自分に似合うかを判断している。ここで、下記特許文献１では、試着用のコンタクトレンズの経済的、物質的無駄を削減するために、カラーコンタクトレンズをユーザが装着した場合の外観をシミュレーションして提示するシステムが開示されている。
【０００４】
さらに昨今、コンタクトレンズを用いた画像表示装置として下記特許文献２が開示されている。特許文献２では、曲面上に表示部とレンズアレイ部が一体化して設けられ、コンタクトレンズのように全体として眼に装着可能な形状とされた薄型化画像表示装置が提案されている。
【先行技術文献】
【特許文献】
【０００５】
【特許文献１】特開２０１０−２１１２１０号公報
【特許文献２】特開２００６−２９２８８３号公報
【発明の概要】
【発明が解決しようとする課題】
【０００６】
しかしながら、上記特許文献１、２では、両目の眼球にそれぞれ装着される一対のコンタクトレンズが互いに連携して動作する構成については何ら言及されていない。
【０００７】
そこで、本開示では、一対のコンタクトレンズが互いに連携して動作することが可能な、新規かつ改良された一対のコンタクトレンズ、コンタクトレンズ、および記憶媒体を提案する。
【課題を解決するための手段】
【０００８】
本開示によれば、両目の各眼球に装着される一対のレンズ部と、前記一対のレンズ部のうち一方の前記レンズ部に設けられる第１の機能部と、他方の前記レンズ部に設けられる前記第１の機能部の機能と異なる機能を有する第２の機能部と、を備える、一対のコンタクトレンズを提案する。
【０００９】
本開示によれば、眼球に装着されるレンズ部と、前記レンズ部に設けられる機能部と、前記レンズ部に設けられる、外部装置と通信可能な通信部と、前記通信部により前記外部装置から受信した情報に応じて、前記機能部が前記外部装置と連携して動作するよう制御する制御部と、を備える、コンタクトレンズを提案する。
【００１０】
本開示によれば、コンピュータに、眼球に装着されるレンズ部に設けられる機能部と、前記レンズ部に設けられる、外部装置と通信可能な通信部と、前記通信部により前記外部装置から受信した情報に応じて、前記機能部が前記外部装置と連携して動作するよう制御する制御部と、として機能させるためのプログラムが記憶された、記憶媒体を提案する。
【発明の効果】
【００１１】
以上説明したように本開示によれば、一対のコンタクトレンズが互いに連携して動作することが可能となる。
【図面の簡単な説明】
【００１２】
【図１】本開示の一実施形態による一対のコンタクトレンズの概要を説明するための図である。
【図２】本開示の一実施形態によるコンタクトレンズの外観構成の一例を示す平面図である。
【図３】第１の実施形態による一対のコンタクトレンズを形成する左眼に装着されるコンタクトレンズと、右眼に装着されるコンタクトレンズの構成を示すブロック図である。
【図４】第１の実施形態による連携処理の一例を示すシーケンス図である。
【図５】第２の実施形態による右眼に装着されるコンタクトレンズの構成を示すブロック図である。
【図６】第２の実施形態による連携処理の一例を示すシーケンス図である。
【図７】第３の実施形態による一対のコンタクトレンズを形成する左眼に装着されるコンタクトレンズと、右眼に装着されるコンタクトレンズの構成を示すブロック図である。
【図８】第３の実施形態による連携処理の一例を示すシーケンス図である。
【図９】第４の実施形態による左眼に装着されるコンタクトレンズの構成を示すブロック図である。
【図１０】第４の実施形態による連携処理の一例を示すシーケンス図である。
【図１１】第５の実施形態による左眼に装着されるコンタクトレンズの構成を示すブロック図である。
【図１２】第５の実施形態による連携処理の一例を示すシーケンス図である。
【図１３】第６の実施形態による一対のコンタクトレンズを形成する左眼に装着されるコンタクトレンズと、右眼に装着されるコンタクトレンズの構成を示すブロック図である。
【図１４】第６の実施形態による連携処理の一例を示すシーケンス図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
また、説明は以下の順序で行うものとする。
１．本開示の一実施形態によるコンタクトレンズの概要
２．各実施形態
２−１．第１の実施形態
２−２．第２の実施形態
２−３．第３の実施形態
２−４．第４の実施形態
２−５．第５の実施形態
２−６．第６の実施形態
３．まとめ
【００１５】
＜＜１．本開示の一実施形態によるコンタクトレンズの概要＞＞
まず、本開示の一実施形態による一対のコンタクトレンズ１００の概要について図１を参照して説明する。図１は、本開示の一実施形態による一対のコンタクトレンズ１００の概要を説明するための図である。図１に示すように、一対のコンタクトレンズ１００は、右眼４Ｒに装着されるコンタクトレンズ１Ｒと、左眼４Ｌに装着されるコンタクトレンズ１Ｌとから成る一組のコンタクトレンズである。
【００１６】
各コンタクトレンズ１Ｒ、１Ｌは、曲面形状のレンズ部により形成され、全体として虹彩２および瞳３を覆うよう眼球４Ａに装着し、また、離脱できる構成を有する。なお、以下各コンタクトレンズ１Ｒ、１Ｌを区別して説明する必要がない場合は、コンタクトレンズ１とも総称する。
【００１７】
（背景）
上述したように、近年、視覚補正のための度入りコンタクトレンズや、眼の外観を変えるためのカラーコンタクトレンズを装着しているユーザが増加している。また、このような日常的に使用するコンタクトレンズの高機能化も提案されている。
【００１８】
しかしながら、両目に装着される一対のコンタクトレンズが互いに連携して動作する点については何ら提案されていなかった。
【００１９】
そこで、上記事情を一着眼点にして本開示の各実施形態による高機能コンタクトレンズを創作するに至った。本開示の各実施形態によるコンタクトレンズは、他方の眼に装着されている異なる機能を有するコンタクトレンズと連携して動作することにより、コンタクトレンズをインテリジェント化させ、利便性を格段に向上させることができる。
【００２０】
このような本実施形態によるコンタクトレンズの基本的な構成について、以下、図２を参照して具体的に説明する。
【００２１】
＜１−１．外観構成＞
図２は、本開示の一実施形態によるコンタクトレンズ１の外観構成の一例を示す平面図である。図２に示すように、本実施形態によるコンタクトレンズ１は、眼球に装着されるレンズ部１０により形成され、眼球正面から見て、円１Ｃにより、その内側の領域１Ａと、その外側の領域１Ｂとに区分される。円１Ｃの直径Ｄ２は、人間の眼の虹彩２の内側の円２Ａの最大時の直径Ｄ１とほぼ等しいか、それより大きい値とされる。
【００２２】
円１Ｃの外側の領域１Ｂには、回路部２０が設けられている。回路部２０の外側（レンズ部１０の眼球接触面と対向する側）には、透明な合成樹脂などで構成される円滑部が形成されている。これにより、コンタクトレンズ１をユーザが眼に装着したとき、ユーザのまぶたが円滑に移動可能となる。
【００２３】
本実施形態による回路部２０は、図２に示すように、制御部２１、無線通信処理部２２、アンテナ２３、および機能部３０を含む。以下、各構成について説明する。
【００２４】
（制御部２１）
制御部２１は、例えばＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）を備えたマイクロコンピュータ（マイクロチップ、ＩＣチップ）により構成され、回路部２０の各構成を制御する。
【００２５】
また、本実施形態による制御部２１は、一対のコンタクトレンズ１００にそれぞれ設けられた異なる機能を有する各機能部３０（第１の機能部３０Ｒ、第２の機能部３０Ｌ）が互いに連携して動作するよう制御する。
【００２６】
（無線通信処理部２２およびアンテナ２３）
アンテナ２３は、例えば図１に示すレンズ部１０の領域１Ｂの外周に設けられ、他方の眼に装着されている他のコンタクトレンズ１（外部装置の一例）と無線で接続し、データの送受信を行う機能を有する。
【００２７】
無線通信処理部２２は、アンテナ２３により送受信されるデータに対する各種の信号処理を行う機能を有する。
【００２８】
（機能部３０）
機能部３０は、制御部２１の制御にしたがって所定の機能を発揮する。機能部３０は、例えば撮像機能、表示機能、各種センサ機能（ＵＩ機能を含む）、照明機能、集音機能（ＵＩ機能の一例として用いられてもよい）、電力供給機能、および外部通信機能の少なくともいずれかである。なお図２に示す機能部３０の配置は一例であって、例えば機能部３０が有する所定の機能が表示機能である場合、表示機能を有する機能部３０（表示部）は、レンズ部１０の円１Ｃの内側の領域１Ａを覆うよう設けられ、装着者（ユーザ）により表示画像が認識される。また、表示機能を有する機能部３０（表示部）が領域１Ａを覆うように設けられる場合、回路部２０は、表示部による画像表示の邪魔にならないよう、表示部の外周としての領域１Ｂに設けられる。
【００２９】
また、本実施形態による一対のコンタクトレンズ１００（コンタクトレンズ１Ｒ、１Ｌ）は、互いに異なる機能を有する機能部３０（第１の機能部３０Ｒ、第２の機能部３０Ｌ）を備え、無線通信処理部２２およびアンテナ２３を介して連携動作を行う。これにより、異なる機能を有する各機能部３０を一対のコンタクトレンズ１００（コンタクトレンズ１Ｒ、１Ｌ）にそれぞれ分散して設けることで、一のコンタクトレンズ１に全て設ける場合に比べて、配置領域の省スペース化を実現することができる。
【００３０】
このような異なる機能の組み合わせとしては、例えば「撮像機能と、表示／照明／記憶／バッテリー／外部通信／ＵＩ機能」、「表示機能と、照明／記憶／バッテリー／外部通信／ＵＩ機能」、「記憶機能と、バッテリー／外部通信／ＵＩ機能」といった組み合わせが考えられる。また、「特殊撮像（ズーム／赤外線／紫外線撮像）機能と通常撮像」、「遠方撮像と近傍撮像」といったように、細分化された撮像機能の組み合わせであってもよい。このように、異なる機能組み合わせは多様であって特に限定しないが、本実施形態の一対のコンタクトレンズ１００による異なる機能の連携動作の具体例については、続く「２．各実施形態」において詳細に説明する。
【００３１】
以上、コンタクトレンズ１の基本的な外観構成について説明した。本実施形態による回路部２０の構成は、図２に示す例に限定されず、さらにバッテリー（電力供給部）を有する構成であってもよい。また、回路部２０のアンテナ２３および無線通信処理部２２は、電力受給を行う機能を有してもよく、例えば電磁誘導方式、電波方式、または電磁界共鳴方式等により外部の電力供給装置（不図示）から電力を受給することができる。また、本実施形態による無線通信処理部２２およびアンテナ２３は、他方の眼に装着されている他のコンタクトレンズ１と無線接続する他、外部通信端末（例えばユーザが所持するスマートフォン等）と無線接続してもよい。また、図２に示す回路部２０の各構成の配置は一例であって、本実施形態による回路部２０は、図２と異なる配置であってもよい。
【００３２】
次に、一対のコンタクトレンズ１００による異なる機能の連携動作について、複数の実施形態を用いて具体的に説明する。
【００３３】
＜＜２．各実施形態＞＞
＜２−１．第１の実施形態＞
まず、一方のコンタクトレンズ１が撮像機能を有し、他方のコンタクトレンズ１が表示機能を有する第１の実施形態による連携動作について、図３〜図４を参照して説明する。
【００３４】
（２−１−１．構成）
図３は、第１の実施形態による一対のコンタクトレンズ１００を形成する左眼４Ｌに装着されるコンタクトレンズ１Ｌ−１と、右眼４Ｒに装着されるコンタクトレンズ１Ｒ−１の構成を示すブロック図である。
【００３５】
図３に示すように、コンタクトレンズ１Ｌ−１は、制御部２１Ｌ−１、無線通信処理部２２、アンテナ２３および機能部３０Ｌ−１を有する。機能部３０Ｌ−１は、撮像部２４およびセンサ２７を含む。
【００３６】
（撮像部２４）
撮像部２４（カメラ）は、撮像レンズ、絞り、ズームレンズ、フォーカスレンズ等により構成されるレンズ系、レンズ系に対してフォーカス動作やズーム動作を行わせる駆動系、およびレンズ系で得られる撮像光を光電変換して撮像信号を生成する固体撮像素子アレイ等を有する。固体撮像素子アレイは、例えばＣＣＤ（Ｃｈａｒｇｅ  Ｃｏｕｐｌｅｄ  Ｄｅｖｉｃｅ）センサアレイや、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサアレイにより実現されてもよい。
【００３７】
撮像レンズは、コンタクトレンズ１を装着したユーザの視線方向を撮像方向となるよう設けられている。
【００３８】
また、撮像部２４は、固体撮像素子によって得られる信号に対する処理を行い、デジタルデータとしての撮像信号を得る撮像信号処理部を有する。例えば、撮像信号処理部は、眼球の動きによる撮像画像のぶれを補正する目ぶれ補正を行ってもよい。撮像部２４は、取得した撮像画像（デジタルデータ）を制御部２１Ｌ−１に出力する。
【００３９】
（センサ２７）
センサ２７は、コンタクトレンズ１の外界（周辺）情報を検知するため各種センサであって、例えば圧電センサ（圧力センサの一例）、赤外線センサ、または加速度センサ等により実現される。また、本実施形態によるセンサ２７は、カメラ起動コマンド、撮像コマンド、およびカメラ終了コマンドの検出に用いられる。センサ２７は、検知結果を制御部２１Ｌ−１に出力する。
【００４０】
（制御部２１Ｌ−１）
制御部２１Ｌ−１は、センサ２７の検知結果に基づいて各種コマンドを検出し、検出した各種コマンドに応じて、コンタクトレンズ１Ｌ−１の各構成を制御する。また、制御部２１Ｌ−１は、コンタクトレンズ１Ｌ−１とコンタクトレンズ１Ｒ−１が連携して動作するよう制御する。より具体的には、例えば制御部２１Ｌ−１は、撮像部２４により撮像された撮像画像を、他方のコンタクトレンズ１Ｒ−１に設けられる表示部２６に表示するよう制御する。
【００４１】
以上、本実施形態によるコンタクトレンズ１Ｌ−１の構成について具体的に説明した。一方、コンタクトレンズ１Ｒ−１は、図３に示すように、制御部２１Ｒ−１、無線通信処理部２２、アンテナ２３および機能部３０Ｒ−１を有する。機能部３０Ｒ−１は、表示部２６を含む。
【００４２】
（表示部２６）
表示部２６には、複数の表示素子（不図示）が配置される。各表示素子は、例えば、液晶表示装置や有機ＥＬ（Ｅｌｅｃｔｒｏｌｕｍｉｎｅｓｃｅｎｃｅ）表示装置、ＦＥＤ（Ｆｉｅｌｄ  Ｅｍｉｓｓｉｏｎ  Ｄｉｓｐｌａｙ）表示装置などにより構成される。各表示素子は、人間の眼（コンタクトレンズ１が装着されるのが他の動物である場合にはその動物の眼）の表面に対応する１つの曲面（例えば略球状の曲面）上に、マトリックス状に配置される。また、各表示素子は、それぞれが表示領域を有しており、それぞれが独立した画像を表示してもよいし、全体で１つの画像を表示してもよい。
【００４３】
表示領域は円１Ｃ内の領域１Ａ（図２参照）の全体にわたって配置される。これにより、円１Ｃの直径Ｄ２は瞳（瞳孔）３の最大の直径（虹彩２の内側の円２Ａの最大時の直径）Ｄ１と等しいか、それより大きい値に設定されるので、虹彩２の内側の円２Ａの直径の値に拘わらず、常に瞳３の全体にわたって表示領域が存在することになる。したがって、より多くの表示領域の画像の光が確実に眼球の網膜上に結像する。なお、この実施形態の場合、円１Ｃの直径Ｄ２は、虹彩２の外側の円２Ｂの直径Ｄ３より小さい値とされているが、大きくてもよい。
【００４４】
また、表示素子は、人により全体として１つの画像が認識できる程度のピッチで（画像が局部的に欠落しない程度に）密に配置されている。
【００４５】
また、表示部２６は、画像を表示していない状態のとき、外部の光を透過するので、ユーザは外部の画像（実空間の景色）を視認することができる。
【００４６】
（制御部２１Ｒ−１）
制御部２１Ｒ−１は、アンテナ２３および無線通信処理部２２を介してコンタクトレンズ１Ｌ−１から送信された撮像画像を、表示部２６に表示するよう制御する。
【００４７】
以上、コンタクトレンズ１Ｌ−１およびコンタクトレンズ１Ｒ−１の構成について具体的に説明した。上記構成により、左眼４Ｌに装着しているコンタクトレンズ１Ｌ−１で撮像した撮像画像を、右眼４Ｒに装着しているコンタクトレンズ１Ｒ−１で表示することができる。
【００４８】
（２−１−２．動作処理）
続いて、第１の実施形態による一対のコンタクトレンズ１００の動作処理について図４を参照して説明する。図４は、第１の実施形態による連携処理の一例を示すシーケンス図である。
【００４９】
図４に示すように、まず、ステップＳ１０３において、コンタクトレンズ１Ｌ−１のセンサ２７がＯＮにされる。具体的には、例えばコンタクトレンズ１Ｌ−１に電力の供給がある場合や、所定のトリガ信号を外部（ユーザが所持するスマートフォンやタブレット端末等の外部通信端末）から受信した場合、センサ２７の電源が入る。電源がＯＮされたセンサ２７は、検知結果を制御部２１Ｌ−１に出力する。
【００５０】
次いで、ステップＳ１０６において、制御部２１Ｌ−１は、センサ２７による検知結果に基づいて、カメラ起動コマンドを検出する。具体的には、例えば圧電センサ（センサ２７の一例）によりコンタクトレンズ１Ｌ−１に接する瞼の開閉が検出される場合、制御部２１Ｌ−１は、瞼が２回閉じたことを、「カメラ起動コマンド」として検出してもよい。
【００５１】
続いて、ステップＳ１０９において、制御部２１Ｌ−１は、「カメラ起動コマンド」を検出すると、撮像部２４を起動する。
【００５２】
次に、ステップＳ１１２において、制御部２１Ｌ−１は、センサ２７による検知結果に基づいて、撮像コマンド（シャッターコマンド）を検出する。具体的には、例えばコンタクトレンズ１Ｌ−１に接する瞼が意識的に閉瞼された場合（例えば０．５秒以上閉瞼した場合）、制御部２１Ｌ−１は、「撮像コマンド」として検出する。
【００５３】
次いで、ステップＳ１１５において、制御部２１Ｌ−１は、「撮像コマンド」を検出すると、撮像部２４により被写体の撮像を行う。
【００５４】
次に、ステップＳ１１８において、制御部２１Ｌ−１は、撮像部２４により撮像した撮像画像を、アンテナ２３および無線通信処理部２２を介して、コンタクトレンズ１Ｒ−１に送信する。
【００５５】
次いで、ステップＳ１２１において、コンタクトレンズ１Ｒ−１の制御部２１Ｒ−１は、コンタクトレンズ１Ｌ−１から撮像画像を受信すると、表示部２６をＯＮする。
【００５６】
続いて、ステップＳ１２４において、制御部２１Ｒ−１は、コンタクトレンズ１Ｌ−１から受信した撮像画像を表示部２６に表示するよう制御する。これにより、ユーザは、一方のコンタクトレンズ１Ｌ−１で撮像した撮像画像を、他方のコンタクトレンズ１Ｒ−１で見ることができる。
【００５７】
次いで、ステップＳ１２７において、制御部２１Ｒ−１は、表示部２６をＯＦＦする。表示部２６をＯＦＦするタイミングは、撮像画像を表示してから所定時間経過したタイミングであってもよいし、「表示部終了コマンド」が検出されたタイミングであってもよい。「表示部終了コマンド」は、コンタクトレンズ１Ｌ−１から送信されてもよいし、コンタクトレンズ１Ｒ−１にセンサ２７が設けられている場合は当該センサ２７による検知結果に基づいて検出されてもよい。
【００５８】
一方、ステップＳ１３０において、コンタクトレンズ１Ｌ−１の制御部２１Ｌ−１は、センサ２７による検知結果に基づいて、「カメラ終了コマンド」を検出する。具体的には、例えばコンタクトレンズ１Ｌ−１に接する瞼が意識的に３回閉じられた場合、制御部２１Ｌ−１は、「カメラ終了コマンド」として検出する。
【００５９】
そして、ステップＳ１３３において、制御部２１Ｌ−１は、「カメラ終了コマンド」を検出すると、撮像部２４をＯＦＦする。
【００６０】
以上、第１の実施形態による連携動作について具体的に説明した。本実施形態によれば、一対のコンタクトレンズ１００で、撮像機能と表示機能の連携動作を実現することができる。
【００６１】
＜２−２．第２の実施形態＞
次に、一方のコンタクトレンズ１が撮像機能を有し、他方のコンタクトレンズ１が照明機能を有する第２の実施形態による連携動作について、図５〜図６を参照して説明する。
【００６２】
（２−２−１．構成）
図５は、第２の実施形態による右眼４Ｒに装着されるコンタクトレンズ１Ｒ−２の構成を示すブロック図である。なお、本実施形態による一対のコンタクトレンズ１００は、左眼４Ｌに装着されるコンタクトレンズ１Ｌ−２と右眼４Ｒに装着されるコンタクトレンズ１Ｒ−２により形成される。コンタクトレンズ１Ｌ−２の構成は、図３に示すコンタクトレンズ１Ｌ−１と同様であるので、ここでの説明は省略する。
【００６３】
図５に示すように、コンタクトレンズ１Ｒ−２は、制御部２１Ｒ−２、無線通信処理部２２、アンテナ２３および機能部３０Ｒ−２を有する。機能部３０Ｒ−２は、照明部２８を含む。
【００６４】
（照明部２８）
照明部２８は、レンズ部１０の領域１Ｂに設けられ、発光部とその発光部を発光させる発光回路から成る。照明部２８は、制御部２１Ｒ−２の制御に応じて、発光動作を実行させる。発光部が、コンタクトレンズ１Ｒ−２がユーザの眼球４Ａに装着された状態において前方に対して照明を行うものとして取り付けられていることで、照明部２８は、コンタクトレンズ１Ｌ−２が有する撮像部２４の撮像方向（ユーザの視界方向と同様）を照明することができる。
【００６５】
（制御部２１Ｒ−２）
制御部２１Ｒ−２は、アンテナ２３および無線通信処理部２２を介してコンタクトレンズ１Ｌ−２から送信されたコマンドに従って、照明部２８のＯＮ／ＯＦＦを制御する。
【００６６】
以上、コンタクトレンズ１Ｒ−２の構成について具体的に説明した。上記構成により、右眼４Ｒに装着しているコンタクトレンズ１Ｒ−２は、左眼４Ｌに装着しているコンタクトレンズ１Ｌ−２と連携して照明制御を行うことができる。
【００６７】
（２−２−２．動作処理）
続いて、第２の実施形態による一対のコンタクトレンズ１００の動作処理について図６を参照して説明する。図６は、第２の実施形態による連携処理の一例を示すシーケンス図である。
【００６８】
図６に示すステップＳ１４３〜ステップＳ１５２に示す処理は、図４に示すステップＳ１０３〜Ｓ１１２に示す処理と同様であるので、ここでの説明は省略する。
【００６９】
次いで、ステップＳ１５５において、制御部２１Ｌ−２は、「撮像コマンド」（シャッターコマンド）を検出すると、照明ＯＮのコマンドを、アンテナ２３および無線通信処理部２２を介して、コンタクトレンズ１Ｒ−２に送信する。
【００７０】
次に、ステップＳ１５８において、コンタクトレンズ１Ｒ−２の制御部２１Ｒ−２は、コンタクトレンズ１Ｌ−２から照明ＯＮコマンドを受信すると、照明部２８をＯＮするよう制御する。
【００７１】
次いで、ステップＳ１６１において、コンタクトレンズ１Ｌ−２の制御部２１Ｌ−２は、コンタクトレンズ１Ｒ−２の照明部２８がＯＮにされている状態で、撮像部２４により被写体の撮像を行う。これにより、一方のコンタクトレンズ１Ｌ−２において撮像を行う際に、他方のコンタクトレンズ１Ｒ−２で撮像方向に対する照明を行う連携動作を実現することができる。撮像部２４により撮像された撮像画像は、制御部２１Ｌ−２に含まれるメモリ領域に記憶されてもよいし、アンテナ２３および無線通信処理部２２を介して、外部通信端末（ユーザが所持するスマートフォン等）に送信されてもよい。
【００７２】
次に、ステップＳ１６４において、制御部２１Ｌ−２は、センサ２７による検知結果に基づいて、「カメラ終了コマンド」を検出する。具体的には、例えばコンタクトレンズ１Ｌ−２に接する瞼が意識的に３回閉じられた場合、制御部２１Ｌ−２は、「カメラ終了コマンド」として検出する。
【００７３】
次いで、ステップＳ１６７において、制御部２１Ｌ−２は、「カメラ終了コマンド」を検出すると、アンテナ２３および無線通信処理部２２を介して、照明ＯＦＦのコマンドをコンタクトレンズ１Ｒ−２に送信する。
【００７４】
続いて、ステップＳ１７０において、コンタクトレンズ１Ｒ−２の制御部２１Ｒ−２は、コンタクトレンズ１Ｌ−２から受信した照明ＯＦＦコマンドに従って、照明部２８をＯＦＦするよう制御する。
【００７５】
そして、ステップＳ１７３において、コンタクトレンズ１Ｌ−２の制御部２１Ｌ−２は、「カメラ終了コマンド」を検出すると、撮像部２４をＯＦＦする。
【００７６】
以上、第２の実施形態による連携動作について具体的に説明した。本実施形態によれば、一対のコンタクトレンズ１００で、撮像機能と照明機能の連携動作を実現することができる。
【００７７】
＜２−３．第３の実施形態＞
次に、一方のコンタクトレンズ１がＵＩ機能を有し、他方のコンタクトレンズ１が撮像機能を有する第３の実施形態による連携動作について、図７〜図８を参照して説明する。
【００７８】
（２−３−１．構成）
図７は、第３の実施形態による一対のコンタクトレンズ１００を形成する左眼４Ｌに装着されるコンタクトレンズ１Ｌ−３と、右眼４Ｒに装着されるコンタクトレンズ１Ｒ−３の構成を示すブロック図である。
【００７９】
図７に示すように、コンタクトレンズ１Ｌ−３は、制御部２１Ｌ−３、無線通信処理部２２、アンテナ２３および機能部３０Ｌ−３を有する。機能部３０Ｌ−３は、センサ２７を含む。
【００８０】
センサ２７は、第１の実施形態において図３を参照して説明したので、ここでの詳細な説明は省略する。
【００８１】
制御部２１Ｌ−３は、センサ２７による検知結果に基づいて、カメラ起動コマンド、撮像コマンド、およびカメラ終了コマンドを検出し、検出した各コマンドを、アンテナ２３および無線通信処理部２２を介してコンタクトレンズ１Ｒ−３に送信する。
【００８２】
以上、本実施形態によるコンタクトレンズ１Ｌ−３の構成について具体的に説明した。図７に示すように、コンタクトレンズ１Ｌ−３は、センサ２７によりユーザ操作を受け付けるＵＩ（ユーザインタフェース）機能を有する。一方、コンタクトレンズ１Ｒ−３は、図７に示すように、制御部２１Ｒ−３、無線通信処理部２２、アンテナ２３および機能部３０Ｒ−３を有する。機能部３０Ｒ−３は、撮像部２４を含む。
【００８３】
撮像部２４は、第１の実施形態において図３を参照して説明したので、ここでの詳細な説明は省略する。
【００８４】
制御部２１Ｒ−３は、コンタクトレンズ１Ｌ−３から送信される各コマンドに従って、撮像部２４による撮像動作を制御する。
【００８５】
以上、コンタクトレンズ１Ｌ−３およびコンタクトレンズ１Ｒ−３の構成について具体的に説明した。上記構成により、左眼４Ｌに装着しているコンタクトレンズ１Ｌ−３でユーザ操作（各コマンド）が検出され、検出されたユーザ操作に応じて、右眼４Ｒに装着しているコンタクトレンズ１Ｒ−３が有する撮像部２４が制御される。
【００８６】
（２−３−２．動作処理）
続いて、第３の実施形態による一対のコンタクトレンズ１００の動作処理について図８を参照して説明する。図８は、第３の実施形態による連携処理の一例を示すシーケンス図である。
【００８７】
図８に示すステップＳ１８３、Ｓ１８６は、図４に示すステップＳ１０３、Ｓ１０６に示す処理と同様であるので、ここでの説明は省略する。
【００８８】
次いで、ステップＳ１８９において、コンタクトレンズ１Ｌ−３の制御部２１Ｌ−３は、センサ２７による検知結果に基づいて「カメラ起動コマンド」を検出すると、カメラ起動コマンドを、アンテナ２３および無線通信処理部２２を介してコンタクトレンズ１Ｒ−３に送信する。
【００８９】
次に、ステップＳ１９２において、コンタクトレンズ１Ｒ−３の制御部２１Ｒ−３は、コンタクトレンズ１Ｌ−３から受信したカメラ起動コマンドに従って、撮像部２４を起動する。
【００９０】
次いで、ステップＳ１９５において、コンタクトレンズ１Ｌ−３の制御部２１Ｌ−３は、センサ２７による検知結果に基づいて、撮像コマンド（シャッターコマンド）を検出する。
【００９１】
次に、ステップＳ１９８において、制御部２１Ｌ−３は、撮像コマンドを、アンテナ２３および無線通信処理部２２を介してコンタクトレンズ１Ｒ−３に送信する。
【００９２】
次いで、ステップＳ２０１において、コンタクトレンズ１Ｒ−３の制御部２１Ｒ−３は、コンタクトレンズ１Ｌ−３から受信した撮像コマンドに従って、撮像部２４により被写体の撮像を行うよう制御する。
【００９３】
続いて、ステップＳ２０４において、コンタクトレンズ１Ｌ−３の制御部２１Ｌ−３は、センサ２７による検知結果に基づいて、「カメラ終了コマンド」を検出する。具体的には、例えばコンタクトレンズ１Ｌ−３に接する瞼が意識的に３回閉じられた場合、制御部２１Ｌ−３は、「カメラ終了コマンド」として検出する。
【００９４】
次に、ステップＳ２０７において、制御部２１Ｌ−３は、カメラ終了コマンドを、アンテナ２３および無線通信処理部２２を介してコンタクトレンズ１Ｒ−３に送信する。
【００９５】
そして、ステップＳ２１０において、コンタクトレンズ１Ｒ−３の制御部２１Ｒ−３は、コンタクトレンズ１Ｌ−３から受信したカメラ終了コマンドに従って、撮像部２４をＯＦＦする。
【００９６】
以上、第３の実施形態による連携動作について具体的に説明した。本実施形態によれば、一対のコンタクトレンズ１００で、ＵＩ機能（操作入力機能）と撮像機能の連携動作を実現することができる。
【００９７】
＜２−４．第４の実施形態＞
上述した第３の実施形態では、コンタクトレンズ１Ｌ−３が、センサ２７（例えば圧電センサ）によりユーザ操作（例えば瞬き）を検出するＵＩ機能を有しているが、本実施形態によるＵＩ機能は、センサ２７による検知結果に基づいて検出される方法に限定されない。例えば、収音部（マイクロホン、以下マイクとも称する）により収音した音声に基づいて各コマンド（ユーザ操作）が検出されてもよい。そこで、以下、一方のコンタクトレンズ１が音声入力可能なＵＩ機能を有し、他方のコンタクトレンズ１が撮像機能を有する第４の実施形態による連携動作について、図９〜図１０を参照して説明する。
【００９８】
（２−４−１．構成）
図９は、第４の実施形態による左眼４Ｌに装着されるコンタクトレンズ１Ｌ−４の構成を示すブロック図である。なお、本実施形態による一対のコンタクトレンズ１００は、左眼４Ｌに装着されるコンタクトレンズ１Ｌ−４と右眼４Ｒに装着されるコンタクトレンズ１Ｒ−４により形成される。コンタクトレンズ１Ｒ−４の構成は、図７に示すコンタクトレンズ１Ｒ−３と同様であるので、ここでの説明は省略する。
【００９９】
図９に示すように、コンタクトレンズ１Ｌ−４は、制御部２１Ｌ−４、無線通信処理部２２、アンテナ２３および機能部３０Ｌ−４を有する。機能部３０Ｌ−４は、マイク（収音部）２９を含む。
【０１００】
（マイク２９）
マイク２９は、レンズ部１０に設けられ、ユーザの声など外界の音声を収音し、収音した音声信号を制御部２１Ｌ−４に出力する。また、本実施形態によるマイク２９に防水機能を適用してもよいし、マイク２９を、水中音を収音可能な構造により実現してもよい。
【０１０１】
（制御部２１Ｌ−４）
制御部２１Ｌ−４は、マイク２９により収音された音声信号に基づいて、カメラ起動コマンド、撮像コマンド（シャッターコマンド）、およびカメラ終了コマンドを検出する。また、制御部２１Ｌ−４は、検出した各コマンドを、アンテナ２３および無線通信処理部２２を介してコンタクトレンズ１Ｒ−４に送信するよう制御する。
【０１０２】
以上、コンタクトレンズ１Ｌ−４の構成について具体的に説明した。上記構成により、左眼４Ｌに装着されているコンタクトレンズ１Ｌ−４は、音声によるユーザ操作（コマンド）を検出し、検出した各コマンドに応じて、右眼４Ｒに装着されているコンタクトレンズ１Ｒ−４の撮像動作を制御することができる。
【０１０３】
（２−４−２．動作処理）
続いて、第４の実施形態による一対のコンタクトレンズ１００の動作処理について図１０を参照して説明する。図１０は、第４の実施形態による連携処理の一例を示すシーケンス図である。
【０１０４】
図１０に示すように、まず、ステップＳ２３３において、コンタクトレンズ１Ｌ−４のマイク２９がＯＮにされる。具体的には、例えばコンタクトレンズ１Ｌ−４に電力の供給がある場合や、所定のトリガ信号を外部（ユーザが所持するスマートフォンやタブレット端末等の外部通信端末）から受信した場合、マイク２９の電源が入る。電源がＯＮされたマイク２９は、周囲の音声を収音し、収音した音声信号を制御部２１Ｌ−４に出力する。
【０１０５】
次いで、ステップＳ２３６において、制御部２１Ｌ−４は、マイク２９により収音された音声信号を解析し（音声認識）、カメラ起動コマンドを検出する。
【０１０６】
続いて、ステップＳ２３９において、制御部２１Ｌ−４は、「カメラ起動コマンド」を検出すると、カメラ起動コマンドを、アンテナ２３および無線通信処理部２２を介してコンタクトレンズ１Ｒ−４に送信する。
【０１０７】
次に、ステップＳ２４２において、コンタクトレンズ１Ｒ−４の制御部２１Ｒ−４は、コンタクトレンズ１Ｌ−４から受信したカメラ起動コマンドに従って、撮像部２４を起動する。
【０１０８】
次いで、ステップＳ２４５において、コンタクトレンズ１Ｌ−４の制御部２１Ｌ−４は、マイク２９により収音された音声信号を解析し、撮像コマンド（シャッターコマンド）を検出する。
【０１０９】
次に、ステップＳ２４８において、制御部２１Ｌ−４は、撮像コマンドを、アンテナ２３および無線通信処理部２２を介してコンタクトレンズ１Ｒ−４に送信する。
【０１１０】
次いで、ステップＳ２５１において、コンタクトレンズ１Ｒ−４の制御部２１Ｒ−４は、コンタクトレンズ１Ｌ−４から受信した撮像コマンドに従って、撮像部２４により被写体の撮像を行うよう制御する。
【０１１１】
続いて、ステップＳ２５４において、コンタクトレンズ１Ｌ−４の制御部２１Ｌ−４は、マイク２９により収音された音声信号を解析し、「カメラ終了コマンド」を検出する。
【０１１２】
次に、ステップＳ２５７において、制御部２１Ｌ−４は、カメラ終了コマンドを、アンテナ２３および無線通信処理部２２を介してコンタクトレンズ１Ｒ−４に送信する。
【０１１３】
そして、ステップＳ２６０において、コンタクトレンズ１Ｒ−４の制御部２１Ｒ−４は、コンタクトレンズ１Ｌ−４から受信したカメラ終了コマンドに従って、撮像部２４をＯＦＦする。
【０１１４】
以上、第４の実施形態による連携動作について具体的に説明した。本実施形態によれば、一対のコンタクトレンズ１００で、音声入力によるＵＩ機能と撮像機能の連携動作を実現することができる。
【０１１５】
＜２−５．第５の実施形態＞
上述した第１〜第４の実施形態による一対のコンタクトレンズ１００は、各コンタクトレンズ１Ｒ、１Ｌがそれぞれバッテリー（電力供給部）を有するか、または各コンタクトレンズ１Ｒ、１Ｌがそれぞれ外部の電力供給装置から電力を受給している。しかし、本実施形態による一対のコンタクトレンズ１００の各構成はこれに限定されず、各コンタクトレンズ１Ｒ、１Ｌのうち一方のコンタクトレンズにバッテリーが設けられ、他方のコンタクトレンズに電力を供給するといった連携動作を行ってもよい。以下、このような電力供給の連携動作について、第５の実施形態として、図１１〜図１２を参照して説明する。
【０１１６】
（２−５−１．構成）
図１１は、第５の実施形態による左眼４Ｌに装着されるコンタクトレンズ１Ｌ−５の構成を示すブロック図である。なお、本実施形態による一対のコンタクトレンズ１００は、左眼４Ｌに装着され、バッテリー機能を有するコンタクトレンズ１Ｌ−５と、右眼４Ｒに装着され、撮像機能を有するコンタクトレンズ１Ｒ−５により形成される。コンタクトレンズ１Ｒ−５の構成は、図７に示すコンタクトレンズ１Ｒ−３と同様であるので、ここでの説明は省略する。
【０１１７】
図１１に示すように、コンタクトレンズ１Ｌ−５は、制御部２１Ｌ−５、無線通信処理部２２、アンテナ２３および機能部３０Ｌ−５を有する。機能部３０Ｌ−５は、センサ２７およびバッテリー３１を含む。
【０１１８】
センサ２７は、第１の実施形態において図３を参照して説明したので、ここでの詳細な説明は省略する。
【０１１９】
バッテリー３１は、コンタクトレンズ１Ｌ−５の各構成に電力を供給する機能を有する。バッテリー３１は、例えば太陽光発電部により実現されてもよいし、アンテナ２３により外部の電力供給装置から電力を受給する処理を行う電力受給処理部により実現されてもよい。
【０１２０】
制御部２１Ｌ−５は、センサ２７による検知結果に基づいて、カメラ起動コマンド、撮像コマンド、およびカメラ終了コマンドを検出し、検出した各コマンドを、アンテナ２３および無線通信処理部２２を介してコンタクトレンズ１Ｒ−５に送信する。また、制御部２１Ｌ−５は、検出した各コマンドに応じて、コンタクトレンズ１Ｒ−５への電力送信を制御する。
【０１２１】
以上、コンタクトレンズ１Ｌ−５の構成について具体的に説明した。上記構成により、左眼４Ｌに装着しているコンタクトレンズ１Ｌ−５は、検出した各コマンドに応じて、右眼４Ｒに装着しているコンタクトレンズ１Ｒ−５への電力供給を制御する。
【０１２２】
（２−５−２．動作処理）
続いて、第５の実施形態による一対のコンタクトレンズ１００の動作処理について図１２を参照して説明する。図１２は、第５の実施形態による連携処理の一例を示すシーケンス図である。
【０１２３】
図１２に示すように、まず、ステップＳ２６３において、コンタクトレンズ１Ｌ−５のセンサ２７がＯＮにされる。
【０１２４】
次いで、ステップＳ２６６において、制御部２１Ｌ−５は、センサ２７による検知結果に基づいて、カメラ起動コマンドを検出する。具体的には、例えば圧電センサ（センサ２７の一例）によりコンタクトレンズ１Ｌ−５に接する瞼の開閉が検出される場合、制御部２１Ｌ−５は、瞼が２回閉じたことを、「カメラ起動コマンド」として検出してもよい。
【０１２５】
次に、ステップＳ２６９において、制御部２１Ｌ−５は、バッテリー３１から供給される電力をコンタクトレンズ１Ｒ−５に送信するよう制御する。電力送信は、例えば電磁誘導方式、電波方式、または電磁界共鳴方式等により実現され得る。また、コンタクトレンズ１Ｒ−５への電力送信は以降継続的に行われる。
【０１２６】
次いで、ステップＳ２７２において、制御部２１Ｌ−５は、カメラ起動コマンドをコンタクトレンズ１Ｒ−５に送信する。
【０１２７】
続くステップＳ２７５〜Ｓ２８７において、図８に示すステップＳ１９５〜Ｓ２１０に示す処理と同様の処理を行う。すなわち、コンタクトレンズ１Ｌ−５において撮像コマンド（シャッターコマンド）やカメラ終了コマンドが検出され、各コマンドに応じて、コンタクトレンズ１Ｒ−５の撮像部２４が制御される。この際、コンタクトレンズ１Ｒ−５の各構成は、コンタクトレンズ１Ｌ−５から継続的に送信される電力を利用して駆動する。
【０１２８】
次に、ステップＳ２９０において、コンタクトレンズ１Ｒ−５の制御部２１Ｒ−５は、撮像部２４をＯＦＦした旨をコンタクトレンズ１Ｌ−５に通知する。
【０１２９】
そして、ステップＳ２９３において、コンタクトレンズ１Ｌ−５の制御部２１Ｌ−５は、撮像部２４をＯＦＦの旨を受信すると、コンタクトレンズ１Ｒ−５への電力の送信を中止する。
【０１３０】
以上、第５の実施形態による連携動作について具体的に説明した。本実施形態によれば、一対のコンタクトレンズ１００で、バッテリー機能（電力供給機能）と撮像機能の連携動作を実現することができる。
【０１３１】
＜２−６．第６の実施形態＞
上述した第１〜第５の実施形態による一対のコンタクトレンズ１００では、各コンタクトレンズ１Ｒ、１Ｌがそれぞれ有するアンテナ２３および無線通信処理部２２は、少なくとも各コンタクトレンズ１Ｒ、１Ｌが互いに通信するための機能を有していればよい。ここで、コンタクトレンズ１Ｒ、１Ｌのうち一方に、外部通信端末と通信可能な機能（外部通信機能）を設けることで、外部通信機能と他の機能との連携動作を実現することができる。外部通信端末とは、例えばユーザが所持するスマートフォン、携帯電話端末、タブレット端末等の通信端末や、ネットワーク上のサーバ等である。以下、このような通信機能と他の機能（例えば撮像機能）の連携動作について、第６の実施形態として、図１３〜図１４を参照して説明する。
【０１３２】
（２−６−１．構成）
図１３は、第６の実施形態による一対のコンタクトレンズ１００を形成する左眼４Ｌに装着されるコンタクトレンズ１Ｌ−６と、右眼４Ｒに装着されるコンタクトレンズ１Ｒ−６の構成を示すブロック図である。
【０１３３】
図１３に示すように、コンタクトレンズ１Ｌ−６は、制御部２１Ｌ−６、無線通信処理部２２、アンテナ２３および機能部３０Ｌ−６を有する。機能部３０Ｌ−６は、外部無線通信処理部３２およびアンテナ３３を含む。
【０１３４】
アンテナ３３は、ユーザが所持するスマートフォン、携帯電話端末、タブレット端末等の通信端末や、ネットワーク上のサーバ等の外部通信端末と無線接続する。また、外部無線通信処理部３２は、アンテナ３３による外部通信端末との無線接続を処理する。なおコンタクトレンズ１Ｌ−６は、アンテナ３３を有する構成の他、アンテナ３３の代わりに人体を介して外部通信端末と無線通信を行ってもよい。
【０１３５】
制御部２１Ｌ−６は、アンテナ２３および無線通信処理部２２を介してコンタクトレンズ１Ｒ−６から受信した撮像画像を、アンテナ３３および外部無線通信処理部３２を介して外部通信端末に送信するよう制御する。
【０１３６】
以上、本実施形態によるコンタクトレンズ１Ｌ−６の構成について具体的に説明した。一方、コンタクトレンズ１Ｒ−６は、図１３に示すように、制御部２１Ｒ−６、無線通信処理部２２、アンテナ２３および機能部３０Ｒ−６を有する。機能部３０Ｒ−６は、撮像部２４およびセンサ２７を含む。
【０１３７】
撮像部２４およびセンサ２７は、第１の実施形態において図３を参照して説明したので、ここでの詳細な説明は省略する。
【０１３８】
制御部２１Ｒ−６は、センサ２７による検知結果に応じて撮像部２４による撮像動作を制御し、撮像部２４により撮像された撮像画像をコンタクトレンズ１Ｌ−６に送信するよう制御する。
【０１３９】
以上、コンタクトレンズ１Ｌ−６およびコンタクトレンズ１Ｒ−６の構成について具体的に説明した。上記構成により、左眼４Ｌに装着しているコンタクトレンズ１Ｌ−６は、右眼４Ｒに装着しているコンタクトレンズ１Ｒ−６が有する撮像部２４により撮像された撮像画像を外部通信端末に送信することができる。
【０１４０】
（２−６−２．動作処理）
続いて、第６の実施形態による一対のコンタクトレンズ１００の動作処理について図１４を参照して説明する。図１４は、第６の実施形態による連携処理の一例を示すシーケンス図である。
【０１４１】
まず、図１４に示すステップＳ３０３〜Ｓ３１５において、図４に示すステップＳ１０３〜Ｓ１１５に示す処理と同様の処理を行う。すなわち、コンタクトレンズ１Ｒ−６において、センサ２７による検知結果に基づいて、カメラ起動コマンド、撮像コマンド（シャッターコマンド）、カメラ終了コマンドが検出され、各コマンドに応じて、撮像部２４による撮像動作が制御される。
【０１４２】
次いで、ステップＳ３１８において、コンタクトレンズ１Ｒ−６の制御部２１Ｒ−６は、撮像部２４により撮像された撮像画像を、アンテナ２３および無線通信処理部２２を介してコンタクトレンズ１Ｌ−６に送信する。
【０１４３】
次に、ステップＳ３２１において、コンタクトレンズ１Ｌ−６の制御部２１Ｌ−６は、コンタクトレンズ１Ｒ−６から受信した撮像画像を、アンテナ３３および外部無線通信処理部３２を介して外部通信端末に送信するよう制御する。
【０１４４】
一方、ステップＳ３２４において、コンタクトレンズ１Ｒ−６の制御部２１Ｒ−６は、センサ２７による検知結果に基づいて、「カメラ終了コマンド」を検出する。具体的には、例えばコンタクトレンズ１Ｒ−６に接する瞼が意識的に３回閉じられた場合、制御部２１Ｒ−６は、「カメラ終了コマンド」として検出する。
【０１４５】
そして、ステップＳ３２７において、制御部２１Ｒ−６は、「カメラ終了コマンド」を検出すると、撮像部２４をＯＦＦする。
【０１４６】
以上、第６の実施形態による連携動作について具体的に説明した。本実施形態によれば、一対のコンタクトレンズ１００で、外部通信機能と撮像機能の連携動作を実現することができる。なお、本実施形態による連携動作は、外部通信機能と撮像機能に限定されず、例えば外部通信機能と表示機能であってもよい。これにより、例えば外部通信機能を有する一方のコンタクトレンズ１Ｌによりネットワーク上の所定サーバから映像を受信し、表示機能を有する他方のコンタクトレンズ１Ｒにおいて受信した映像を表示してもよい。
【０１４７】
また、本実施形態による連携動作は、外部通信機能と記憶機能であってもよい。これにより、例えば外部通信機能を有する一方のコンタクトレンズ１Ｌにより外部通信端末からデータを受信し、記憶機能を有する他方のコンタクトレンズ１Ｒにおいて受信したデータを記憶してもよい。ここで記憶機能とは、所定の記録媒体に対してデータの記録再生を行う記憶部により実現され得る。記録媒体としては、フラッシュメモリ等の固定メモリなど各種考えられ、記憶部としては採用する記録媒体に応じて記録再生を実行できる構成とされればよい。
【０１４８】
＜＜３．まとめ＞＞
上述したように、本実施形態による一対のコンタクトレンズ１００を形成するコンタクトレンズ１Ｒとコンタクトレンズ１Ｌは、互いに異なる機能を有し、これらの機能を連携して動作させることで、コンタクトレンズの利便性を格段に向上させることができる。
【０１４９】
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１５０】
例えば、コンタクトレンズ１の回路部２０に内蔵されるＣＰＵ、ＲＯＭ、およびＲＡＭ等のハードウェアに、上述したコンタクトレンズ１の制御部２１の各機能を発揮させるためのコンピュータプログラムも作成可能である。また、当該コンピュータプログラムを記憶させたコンピュータ読み取り可能な記憶媒体も提供される。
【０１５１】
また、上記各実施形態では、両目にコンタクトレンズ１Ｒ、１Ｌがそれぞれ装着されている場合における連携動作について説明したが、一対のコンタクトレンズ１００のうち一方が外れた場合は、例外処理を実行してもよい。例えば、上記各実施形態において、一方のコンタクトレンズからの応答がない場合、他方のコンタクトレンズは、撮像画像や各コマンド、電力等の送信処理を中止するよう制御する。
【０１５２】
また、一般的に、コンタクトレンズには、レンズの特性およびレンズ径がそれぞれ異なるソフトコンタクトレンズおよびハードコンタクトレンズが知られているが、本実施形態によるコンタクトレンズ１は、いずれのタイプにも応用され得る。
【０１５３】
また、上述した各フローチャートにおける各コマンドの送信処理は、送信先からのコマンド完了通知を持って送信処理終了としてもよい。例えば、図６のＳ１５５に示す「照明ＯＮのコマンド送信処理」は、コンタクトレンズ１Ｒ−２からコマンド完了通知（照明ＯＮ通知）を受信することで終了し、次いでＳ１６１に示す「撮像処理」が行われる。これにより、コンタクトレンズ１Ｒ−２で照明が点く前にコンタクトレンズ１Ｌ−２で撮像処理が行われてしまうことを回避することができる。
【０１５４】
なお、本技術は以下のような構成も取ることができる。
（１）
両目の各眼球に装着される一対のレンズ部と、
前記一対のレンズ部のうち一方の前記レンズ部に設けられる第１の機能部と、
他方の前記レンズ部に設けられる前記第１の機能部の機能と異なる機能を有する第２の機能部と、
を備える、一対のコンタクトレンズ。
（２）
前記一対のコンタクトレンズは、前記一対のレンズ部を通信可能にする通信部をさらに備える、前記（１）に記載の一対のコンタクトレンズ。
（３）
前記通信部は、前記一対のレンズ部にそれぞれ設けられる、前記（２）に記載の一対のコンタクトレンズ。
（４）
前記第１、第２の機能部は、撮像部、照明部、表示部、記憶部、センサ、収音部、および電力供給部の少なくともいずれかである、前記（１）〜（３）のいずれか１項に記載の一対のコンタクトレンズ。
（５）
前記一対のコンタクトレンズは、前記第１、第２の機能部が連携して動作するよう制御する制御部をさらに備える、前記（１）〜（４）のいずれか１項に記載の一対のコンタクトレンズ。
（６）
前記制御部は、前記一対のレンズ部にそれぞれ設けられる、前記（５）に記載の一対のコンタクトレンズ。
（７）
眼球に装着されるレンズ部と、
前記レンズ部に設けられる機能部と、
前記レンズ部に設けられる、外部装置と通信可能な通信部と、
前記通信部により前記外部装置から受信した情報に応じて、前記機能部が前記外部装置と連携して動作するよう制御する制御部と、
を備える、コンタクトレンズ。
（８）
前記制御部は、前記外部装置の機能を制御する制御信号を、前記通信部を介して前記外部装置に送信するように制御する、前記（７）に記載のコンタクトレンズ。
（９）
前記外部装置は、他方の眼球に装着されている他の前記コンタクトレンズである、前記（７）または（８）に記載のコンタクトレンズ。
（１０）
コンピュータに、
眼球に装着されるレンズ部に設けられる機能部と、
前記レンズ部に設けられる、外部装置と通信可能な通信部と、
前記通信部により前記外部装置から受信した情報に応じて、前記機能部が前記外部装置と連携して動作するよう制御する制御部と、
として機能させるためのプログラムが記憶された、記憶媒体。
【符号の説明】
【０１５５】
１、１Ｒ（１Ｒ−１〜１Ｒ−６）、１Ｌ（１Ｌ−１〜１Ｌ−６）    コンタクトレンズ
１００    一対のコンタクトレンズ
２    虹彩
３    瞳（瞳孔）
４Ｒ    右眼
４Ｌ    左眼
４Ａ    眼球
１０    レンズ部
２０    回路部
２１    制御部
２２    無線通信処理部
２３    アンテナ
２４    撮像部
２５    記憶部
２６    表示部
２７    センサ
２８    照明部
３０（３０Ｌ−１〜３０Ｌ−６、３０Ｒ−１〜３０Ｒ−６）    機能部
３１    バッテリー
３２    外部無線通信処理部
３３    アンテナ
【図１】
2020173468.tif 000003
【図２】
2020173468.tif 000004
【図３】
2020173468.tif 000005
【図４】
2020173468.tif 000006
【図５】
2020173468.tif 000007
【図６】
2020173468.tif 000008
【図７】
2020173468.tif 000009
【図８】
2020173468.tif 000010
【図９】
2020173468.tif 000011
【図１０】
2020173468.tif 000012
【図１１】
2020173468.tif 000013
【図１２】
2020173468.tif 000014
【図１３】
2020173468.tif 000015
【図１４】
2020173468.tif 000016